(57)【要約】【課題】小型の移動農機を各機能ブロック毎に容易に分割・組立して運搬車等に搭載して機体の運搬をしやすく、しかも全体が小さくなって収納形態の変更が自由となるので、狭い場所でも収納が可能となって、運搬性や収納性を向上するものである。【解決手段】エンジン４からの動力をベルト伝動装置５を介してミッションケース３に伝達し、ミッションケース３下部に設けた耕耘軸１１を駆動すると共に、ベルト伝動装置５をエンジン４の出力軸４ａに装着される駆動プーリー７と、ミッションケース３の入力軸３ａに装着される従動プーリー８と、駆動プーリー７と従動プーリー間に掛け回された伝動ベルト９ａによって構成すると共に、これらを伝動ケース内に予め内装して、伝動ケース６をエンジン４とミッションケース３に着脱自在に取付けたものである。【選択図】　　　　図１
2004114759.tif 000002
【特許請求の範囲】
【請求項１】
エンジンと操向ハンドルを備え、エンジンからの動力をベルト伝動装置を介してミッションケースに伝達し、ミッションケース下部に設けた耕耘軸を駆動する小型移動農機において、前記ベルト伝動装置を、エンジンの出力軸に装着される駆動プーリーと、ミッションケースの入力軸に装着される従動プーリーと、駆動プーリーと従動プーリー間に掛け回された伝動ベルトによって構成すると共に、これらを伝動ケース内に予め内装して、当該伝動ケースをエンジンとミッションケースに着脱自在に取付けたことを特徴とする小型移動農機。
【発明の詳細な説明】
【０００１】
【発明の属する技術分野】
この発明は、エンジンからの動力をベルト伝動装置を介してミッションケースに伝達する小型移動農機に関するものである。
【０００２】
【従来の技術】
従来、この種の小型移動農機は自走では作業場所への移動速度が遅く、しかも、他の運搬車等で運搬するに際しては機体の安定性が悪く、そのため、移動農機を各機能ブロック毎に分解して運搬する場合にも、その分解に多数の手間がかかり、また、機体を納屋等に格納する場合には比較的大きいスペースを必要としていた。そこで、エンジンを人手で容易に運搬できるようにするためにエンジンを作業機から取り外すと共に、エンジンの上部に運搬用の把手を設けたものが提案されている（例えば、特許文献１参照。）。
また、この種の移動農機として、エンジンからの動力をベルト伝動装置を介してミッションケースに伝達するものが一般的に知られている。（例えば、特許文献２参照。）
【０００３】
【特許文献１】
特開平７−２６９７６号公報
【特許文献２】
実開昭６２−８１７４９号公報
【０００４】
【発明が解決しようとする課題】
ところで、従来、一般的に知られているベルト伝動装置を採用する移動農機において運搬や格納を容易にするために機体からエンジンを取り外す場合には、ベルト伝動装置を覆うベルト伝動ケースを取り外した後、エンジンの出力軸に装着されている駆動プーリーから伝動ベルトを外さなければならないと共に、取り外したベルト伝動ケース及び伝動ベルト等が分散してしまい、これらベルト伝動装置をブロックとして容易に取扱うことが出来ないという問題があった。
【０００５】
【課題を解決するための手段】
本発明は上記課題を解決することを目的として創案したものであって、エンジンと操向ハンドルを備え、エンジンからの動力をベルト伝動装置を介してミッションケースに伝達し、ミッションケース下部に設けた耕耘軸を駆動する小型移動農機において、前記ベルト伝動装置を、エンジンの出力軸に装着される駆動プーリーと、ミッションケースの入力軸に装着される従動プーリーと、駆動プーリーと従動プーリー間に掛け回された伝動ベルトによって構成すると共に、これらを伝動ケース内に予め内装して、当該伝動ケースをエンジンとミッションケースに着脱自在に取付けたことを特徴とする。
【０００６】
【発明の実施の形態】
本発明の一実施形態を図面に基づいて説明する。図１及び図２に示すように、小型移動農機１は、機体フレーム２にミッションケース３の下部を前方に向けて傾斜させて取付けてあると共に、機体フレーム２上に動力源のエンジン４を搭載してある。
【０００７】
前記ミッションケース３の上及びエンジン４の左側面には、エンジン４の出力軸４ａからミッションケース３の入力軸３ａに動力を伝達するベルト伝動装置５と、該ベルト伝動装置５を覆う表カバー６ａと裏カバー６ｂとからなるベルト伝動ケース６が設けられている。
また、ベルト伝動ケース６は図４及び図７に示すようにエンジン４の出力軸４ａに外嵌する駆動プーリー７が表カバー６ａの機体内方に向けて突設されたホルダー６ｃと裏カバー６ｂから機体外方に向けて突設されたホルダー６ｄに挟持された状態で回動自在に内嵌され、また、ミッションケース３の入力軸３ａに外嵌する従動プーリー６ｂが表カバー６ａ内の機体内方に向けて突設されたホルダー６ｄと裏カバー６ｂから機体外方に向けて突設されたホルダー６ｅに挟持された状態で内嵌され、そして駆動プーリー７と従動プーリー８間には伝動ベルト９が掛け回され、表カバー６ａから裏カバー６ｂに貫通して揺動アーム９ｂを回動自在に支持する軸９ｃが設けられ、該揺動アーム９ｂの先端にはテンションプーリー９ｄが軸支されて取り付けられ、表カバー６ａと裏カバー６ｂはそれぞれ駆動プーリー７や従動プーリー８や伝動ベルト９が磨耗や破損したりした際に交換可能なように分解可能に構成されている。
表カバー６ａの中央窪み部には軸９ｃを表カバー６ａと裏カバー６ｂを一体に機体外方へ引き出すための把手９ｅが取り付けられている。
そして、軸９ｃの中程にはＵの字状のブラケット９ｆが溶接されており、該ブラケット９ｆの一端には揺動アーム９ｂを上昇回動させてテンションプーリー９ｄを介して伝動ベルト９ａを緊張させるためのワイヤスプリング９ｇを引っ掛ける構成となっている。
また、前記エンジン４の上部には燃料タンク１０が配設してある。
【０００８】
また、前記ミッションケース３の下部には、耕耘軸１１を機体の左右方向に延設し、該耕耘軸１１に耕耘爪（ロータリ爪）１１ａを取付けてある。
そして、前記ミッションケース３の中途部から後方に向けヒッチ１２を延設し、該ヒッチ１２に抵抗棒１３を下方に向けて突設してある。
また、機体フレーム２の左右には、耕耘爪１１ａによる泥土の跳ね上がりを防止する左右同一形状のゴム製板状のフェンダ２２が設けられている。
【０００９】
一方、前記ミッションケース３の上部から斜め後上方に向けてハンドルフレーム１４を突設し、更に該ハンドルフレーム１４から機体後方に向け左右のハンドル１５Ｌ，１５Ｒを延設してある。
【００１０】
また、前記左右のハンドル１５Ｌ，１５Ｒは、上下調節グリップ１６を介して上下調節自在にハンドルフレーム１４に連結してあり、前記小型移動農機１を運転するオペレータの体格や作業内容によって適宜上下調節が行える。
また、前記機体フレーム２前部には、機体の運搬やトラック等への積載作業時の運搬用把手を兼ねるバンパー１７が取り付けてある。
【００１１】
次に、図３乃至図８に基づいて各機能ブロックの連結状態を説明する。
図３は機体フレーム２上部に搭載されたエンジン４等を示す側面図、図４はベルト伝動装置５を示す側面図、図５は小型移動農機１からエンジン４等やベルト伝動装置を取り外した状態を示す側面図である。図６乃至図８は図３乃至図５の平面図である。即ち、小型移動農機１は機体フレーム２の上部に主にエンジン４と燃料タンク１０を搭載したＡブロックと、内部にエンジン４の出力軸４ａからの動力を伝動ベルト９ａを介してミッションケース３の入力軸４ａに伝達するベルト伝動装置５で構成されるＢブロックと、操向ハンドル１５Ｌ，１５Ｒに耕耘軸１１を装着したＣブロックから構成されている。
そして、Ａブロック、Ｂブロック、Ｃブロックはそれぞれボルトとナットの固着手段によって相互に取り付けられている。つまり、ＡブロックとＣブロックは、Ａブロックの機体フレーム２に設けた取付孔２ａ，２ｂ，２ｃと、Ｃブロックのミッションケース３の外周のリブに設けた取付孔３ｂ，３ｃとミッションケース３側面に設けた取付孔３ｄにそれぞれボルト１８ａ乃至１８ｃとナットによって固着されている。
さらに、ＢブロックをＡブロックとＣブロックに設けられた取付孔同士を合わせてボルトを通して固定して移動農機１を組立構成している。つまり、ベルト伝動装置５を構成するＢブロックにはＡブロックに取り付けるための取付孔５ａ，５ｂとＡブロックのエンジン４側面には該取付孔５ａ，５ｂと一致する取付孔４ｂ，４ｃが設けられ、Ｃブロックのミッションケース３のリブに取付孔３ｂ乃至３ｅが設けられている。そして、取付孔５ａと４ｂ、５ｂと４ｃをボルト１９ａ，１９ｂとナットによって固着されている。また、ベルト伝動装置５の裏側を覆う裏カバー６ｂの後方側にはミッションケース３のリブに設けられた取付孔３ｂ乃至３ｅに向けてボルト２０ａ乃至２０ｃが突設されナットで固着している。　また、ベルト伝動装置５の中央部分の表カバー６ａから裏カバー６ｂを貫通した軸９ｃの機体内端側は、ミッションケース３のリブに設けられた孔３ｃに差し込んでナットで固定されている。
【００１２】
次に、以上の構成よりなる本発明の作用について説明すると、作業者が圃場等で作業を行う際には図１の組立状態で行い、別の場所で作業を行うような場合、特に運搬車等に搭載して機体の運搬を必要とする場合には、移動農機を機能毎のＡブロックとＢブロックとＣブロックの各ブロック毎に分解して、そのまま又は適宜の箱や袋等に入れて運搬し易い状態としてから運搬し、移動が終わってから再び組立た状態で所定の作業を行う。
【００１３】
即ち、移動農機１を分解する際には、まず最初にＢブロックのベルト伝動装置５をＡブロックとＣブロックから取り外す。つまり、Ｂブロックの軸９ｃの中途部のＵ字状ブラケット９ｆからワイヤスプリング９ｇの連結を外す。次に、表カバー６ａ側のボルト１９ａ，１９ｂを取り外し、次に、ミッションケース３のリブに取り付けられているナットを緩めてボルト２０ａ乃至２０ｃを裏カバー６ｂに残した状態で取り外す。
最後に、ミッションケース３のリブからナットを緩めて軸９ｃを表カバー６ａと裏カバー６ｂを一体的に把手９ｅを持って外すことにより表カバー６ａと裏カバー６ｂ内にエンジン４の出力軸４ａに外嵌されて装着する駆動プーリー７とミッションケース３の入力軸３ａに外嵌されて装着する従動プーリー８と伝動ベルト９ａとテンションプーリー９ｄと揺動アーム９ｂを残したまま、駆動プーリー７と従動プーリー８をそれぞれエンジン４出力軸４ａとミッションケース３入力軸３ａから一体的に取り外すことが出来る。
次に、その状態でエンジン４、燃料タンク１０等で構成されるＡブロックの機体フレーム２に設けられた取付孔２ａ，２ｂとＣブロックのミッションケース３のリブ部分に設けられた取付孔３ｂ，３ｃからナットを緩めてボルト１８ａ，１８ｂを取り外し、また、機体フレーム２の後端部分の取付孔２ｃとミッションケース３の側面に設けられた取付孔３ｄからナットを緩めてボルト１８ｃを取り外す。最後に、Ｃブロックの操向ハンドル１５Ｌ，１５Ｒを、ノブ２１を緩めてハンドルフレーム１４の上端から前方に回動させてハンドル１５Ｌ，１５Ｒの先端を耕耘軸１１の爪１１ａ内に位置させることにより、更にコンパクトにすることが出来る。
そして、再び組立てる場合には、上記と逆に夫々の各ブロックの連結部分を予め位置合わせして、分解前と同一の状態に組立てられるものである。
即ち、Ａブロックの機体フレーム２に設けた取付孔２ａ，２ｂと後端に設けた取付孔２ｃとＣブロックのミッションケース３のリブに設けた取付孔３ｂ，３ｃとミッションケース３の側面に設けた取付孔３ｄを合わせてそれぞれボルト１８ａ乃至１８ｃとナットによって締結される。
次に、Ａブロックのエンジン４の出力軸４ａからＣブロックのミッションケース３の入力軸３ａに動力を伝達するＢブロックのベルト伝動装置５を連結する。
即ち、Ｂブロックであるベルト伝動装置５の駆動プーリー７をＡブロックのエンジン４出力軸４ａに、また、従動プーリー８をＣブロックのミッションケース３入力軸３ａにそれぞれスプライン嵌合させてからベルト伝動装置５とエンジン４をボルト１９ａ，１９ｂとナットで連結する。そして、ベルト伝動装置５とミッションケース３を裏カバー６ｂから機体内方に向けて突設されたボルト２０ａ乃至２０ｃをそれぞれミッションケース３の外周のリブに設けられた取付孔３ｂ乃至３ｅに差込みナットで固定して、Ｃブロックのスプリングワイヤ９ｇをＢブロックのＵ字状のブラケット９ｆに連結することによって、Ａブロック，Ｂブロック，Ｃブロックの全てを連結することが出来る。
なお、各ブロックは夫々毎に分解，組立可能ではあるが、運搬車等のスペースに余裕のある場合には、必要部分のみを分解すれば良く、必ずしも全部を分解、組立する必要がない事は当然である。
【００１４】
従って、小型移動農機の各機能ブロック毎に容易に分解、組立が出来ることとなって、特に別の場所で作業を行うような時に運搬車等に搭載して機体の運搬を必要とする場合には、夫々のブロック毎にすると軽量で運び易く、しかも収納形態が自由に変えられるので狭い場所でも収納が可能となって、運搬性や収納性が向上するものである。
そして、未使用時には格納庫等での収納性も良く、また、使用したい時には簡単・容易に組立が可能となる。
【００１５】
【発明の効果】
本発明は、前記の如く、エンジンと操向ハンドルを備え、エンジンからの動力をベルト伝動装置を介してミッションケースに伝達し、ミッションケース下部に設けた耕耘軸を駆動する小型移動農機において、前記ベルト伝動装置を、エンジンの出力軸に装着される駆動プーリーと、ミッションケースの入力軸に装着される従動プーリーと、駆動プーリーと従動プーリー間に掛け回された伝動ベルトによって構成すると共に、これらを伝動ケース内に予め内装して、当該伝動ケースをエンジンとミッションケースに着脱自在に取付けたので、ベルト伝動ケースの取り外しによってベルト伝動装置を構成するエンジンの出力軸に外嵌する駆動プーリーとミッションケースの入力軸に外嵌する従動プーリーとテンションクラッチが付設されている伝動ベルトが一体的に取り外せるので、機体の分解作業を一段と容易にすることが出来、小型移動農機の各機能ブロック毎に容易に分解・組立が可能となり、特に別の場所で作業を行うために運搬車等に搭載して機体の運搬を必要とする場合には、夫々のブロック毎分解すると軽量小型でも運び易く、しかも全体が小さくなって収納形態が自由に変えられ狭い場所でも収納が可能となって、運搬性や収納性が向上するものである。
【図面の簡単な説明】
【図１】本発明における小型の移動農機の全体側面図である。
【図２】図１の全体平面図である。
【図３】機体フレームにエンジンと燃料タンク等を載置した状態を示す側面図である。
【図４】動力伝達装置を示す側面図である。
【図５】操向ハンドルをミッションケースに装着した状態を示す側面図である。
【図６】図３の平面図である。
【図７】図４の平面図である。
【図８】図５の平面図である。
【図９】エンジンとミッションケースにベルト伝動装置を取り付けた状態を示す平面図である。
【符号の説明】
１　　　小型移動農機
３　　　ミッションケース
３ａ　　入力軸
４　　　エンジン
４ａ　　出力軸
５　　　ベルト伝動装置
６　　　ベルト伝動ケース
６ａ　　表カバー
６ｂ　　裏カバー
７　　　駆動プーリー
８　　　従動プーリー
９ａ　　伝動ベルト
９ｄ　　テンションプーリー
１１　　耕耘軸
１５Ｌ　操向ハンドル
１５Ｒ　操向ハンドル
【図１】
2004114759.tif 000003
【図２】
2004114759.tif 000004
【図３】
2004114759.tif 000005
【図４】
2004114759.tif 000006
【図５】
2004114759.tif 000007
【図６】
2004114759.tif 000008
【図７】
2004114759.tif 000009
【図８】
2004114759.tif 000010
【図９】
2004114759.tif 000011